(57)【特許請求の範囲】
【請求項１】
ビームの配置面と直角方向に位置するビームとの結合面に中央に形成する所定幅の平面部と該平面部の少なくとも片側に形成する傾斜部とで構成される窪みを垂直方向に形成し、該窪みにビームの端部に配備される連結部材の係合突起が挿入可能な幅と高さで形成される上孔部と連結部材の係合突起を定着させる幅と高さで形成される下孔部とで構成される係合突起との結合孔を垂直方向に複数個を１乃至２列に配列して成る支柱と、該支柱に形成された窪みの傾斜部に対峙させて屈曲伸長する傾斜部対応部位と該傾斜部対応部位から上記窪みの平面部と水平方向で直交する方向に屈曲伸長させた後に垂直方向に屈曲させて成る複数個の上記結合孔との係合突起とから構成される連結部材を端部に配備されたビームとを用いて、一対の支柱間に複数のビームを垂直方向に設置する際にビームの端部に配備された連結部材の係合突起を支柱の結合面に形成された結合孔に上孔部から挿入させ窪みの傾斜部に連結部材の傾斜部対応部位を順応させながら下孔部に定着させることを特徴とするラックにおける支柱とビームの結合方式。
【請求項２】
支柱に設ける連結部材の係合突起との結合孔を窪みの平面部と傾斜部との結合部位に容易に挿入可能な幅と高さで平面部と傾斜部とに亘って形成される上孔部と連結部材の係合突起を定着させた後に拘束できる幅と高さで平面部側のみに形成される下孔部とで構成することを特徴とする請求項1に記載のラックにおける支柱とビームの結合方式。
【請求項３】
ビームの端部に配備された連結部材の係合突起を支柱に形成した窪みの平面部との直交方向に屈曲させてから結合孔の下孔部における支柱の板厚だけ伸長させた後に垂直方向に屈曲させて構成することを特徴とする請求項1、２に記載のラックにおける支柱とビームの結合方式。
【請求項４】
支柱とビームとを用いて支柱間に複数のビームを垂直方向に設置するに際して、隣接する一対の支柱間同士を直行する交叉状に配置させてラックの端部として構成することを特徴とする請求項1〜３に記載のラックにおける支柱とビームの結合方式。
【発明の詳細な説明】
【技術分野】
【０００１】
本発明は、各種のラックを構成する際に簡便な操作によって堅固な機構を構成し総合的な経費の低減を図れるラックにおける支柱とビームの結合方式に関する。
【背景技術】
【０００２】
従来のラック４０は、図１０に示すように前後方向及び左右方向に複数本配設される縦方向の支柱４１と、支柱４１の前後間に連結されるラチス４２、支柱４１の左右間に連結される水平方向のビーム４３及び前後に対向しているビーム４３間に配設されるサブビーム４４とから構成されているが、ビーム４３に設けられた大柄な連結用部材４５の多数の係止用突起４６が支柱に形成された差込孔４７に慎重に差し込まれてあってもこの差込孔４７から安易に脱抜することを防止するために図１１に示すように抜止部材４８を差込孔４７に対して挿脱自在に構成する必要があった（例えば、特許文献１参照）。
即ち、支柱間をラチス等によって支持しながらビームとサブビームを保持させようとしてもビームの保持形態が完全でないために、連結用部材を大型に構成して係止用突起を数多く採用する必要があると同時に差込孔４７からの脱抜を防止するための抜止部材のような余分な部品を必要としていたので、連結用部材関連の部材を大型に構成し、支柱に設ける差込孔にそのための細工を施すと共に抜止部材のような過剰な設備部品を必須にするために加工や品揃いに要する経費面と部材管理面での繁雑さ故のコスト増大問題が発生していた。
【特許文献１】特開２００２−５１８４６号公報
【発明の開示】
【発明が解決しようとする課題】
【０００３】
本発明は、各種のラックを構成する際に支柱とビームの結合形態を小型で簡素な形態に改良することで各種のラックを簡便な操作によって堅固な機構として構成すると共に総合的な経費の低減も図れるラックにおける支柱とビームの結合方式の提供を目的にしている。
【課題を解決するための手段】
【０００４】
本発明によるラックにおける支柱とビームの結合方式は、基本的にビームの配置面と直角方向に位置するビームとの結合面に中央に形成する所定幅の平面部と平面部の少なくとも片側に形成する傾斜部とで構成される窪みを垂直方向に形成し、この窪みにはビームの端部に配備される連結部材の係合突起が挿入可能な幅と高さで形成される上孔部と連結部材の係合突起を定着させる幅と高さで形成される下孔部とで構成される係合突起との結合孔を垂直方向に複数個を１乃至２列に配列して成る支柱と、この支柱に形成された窪みの傾斜部に対峙させて屈曲伸長する傾斜部対応部位とこの傾斜部対応部位から上記窪みの平面部と水平方向で直交する方向に屈曲伸長させた後に垂直方向に屈曲させて成る複数個の上記結合孔との係合突起とから構成される連結部材を端部に配備されたビームとを用いて、一対の支柱間に複数のビームを垂直方向に設置する際にビームの端部に配備された連結部材の係合突起を支柱の結合面に形成された結合孔に上孔部から挿入させた後に窪みの傾斜部に連結部材の傾斜部対応部位を順応させながら下孔部に定着させることを特徴にしている。
【０００５】
本発明による他のラックにおける支柱とビームの結合方式は、上記の基本的なラックにおける支柱とビームの結合方式において、支柱に設ける連結部材の係合突起との結合孔が、窪みの平面部と傾斜部との結合部位に容易に挿入可能な幅と高さで平面部と傾斜部とに亘って形成される上孔部と連結部材の係合突起を定着させた後に拘束できる幅と高さで平面部側のみに形成される下孔部とで構成されている。
【０００６】
本発明による他のラックにおける支柱とビームの結合方式は、上記の各ラックにおける支柱とビームの結合方式において、ビームの端部に配備された連結部材の係合突起が、支柱に形成した窪みの平面部との直交方向に屈曲させてから結合孔の下孔部における支柱の板厚だけ伸長させた後に垂直方向に屈曲させることで構成されている。
【０００７】
本発明による更に他のラックにおける支柱とビームの結合方式は、上記の各ラックにおける支柱とビームの結合方式において、支柱とビームとを用いて支柱間に複数のビームを垂直方向に設置するに際して、隣接する一対の支柱間同士が直行する交叉状に配置されることでラックの端部として構成されている。
【発明の効果】
【０００８】
本発明によるラックにおける支柱とビームの結合方式は、支柱とビームの結合形態を改良することで各種のラックを構成するに際して、連結用部材を簡素な小型に構成して少数の係止用突起を採用すると同時に差込孔からの脱抜を防止する抜止部材を必要とさせないことによって、簡易にして小数の部材構成と簡便な操作とによる堅固な機構として構成すると共に総合的な経費の低減も図れる効果を奏している。
【発明を実施するための最良の形態】
【０００９】
本発明によるラックにおける支柱とビームの結合方式は、基本的にビームの配置面と直角方向に位置するビームとの結合面に中央に形成する所定幅の平面部と平面部の少なくとも片側に形成する傾斜部とで構成される窪みを垂直方向に形成し、この窪みにはビームの端部に配備される連結部材の係合突起が挿入可能な幅と高さで形成される上孔部と連結部材の係合突起を定着させる幅と高さで形成される下孔部とで構成される係合突起との結合孔を垂直方向に複数個を１乃至２列に配列して成る支柱と、この支柱に形成された窪みの傾斜部に対峙させて屈曲伸長する傾斜部対応部位とこの傾斜部対応部位から上記窪みの平面部と水平方向で直交する方向に屈曲伸長させた後に垂直方向に屈曲させて成る複数個の上記結合孔との係合突起とから構成される連結部材を端部に配備されたビームとを用いて、一対の支柱間に複数のビームを垂直方向に設置する際にビームの端部に配備された連結部材の係合突起を支柱の結合面に形成された結合孔に上孔部から挿入させた後に窪みの傾斜部に連結部材の傾斜部対応部位を順応させながら下孔部に定着させている。
【実施例１】
【００１０】
本発明によるラックにおける支柱とビームの結合方式は、支柱における構成面とこの支柱に対応して構成されるラックにおける構成面とが発明の主要部を形成しているので、説明は夫々の形態についての図１〜３の説明から展開することにする。
支柱の基本的な実施の形態は、図１、２において示すものであって正面図と平面図から構成されている。
支柱１は、平面図の左右に構成されているビームとの接合面２、２とこれらの接合面２、２と直角方向に位置するビームとの結合面３とから形成されており、支柱１におけるビームとの結合面３の背面に相当する裏面部分４は、ラチス等の他のラック構成部品に任意に対応できるような構造に形成されていて図示の例では両側のビームとの接合面２、２によって両側から押さえ込める形状でラチス等にも対応できるように構成されている。
ビームとの結合面３には、平面図が示すように中央部に所定幅の平面部５を形成しており、この平面部５の両側には傾斜部６を対照的に配置して成る窪み７を支柱１の垂直方向に連続的に形成している。この窪み７を構成する傾斜部６は、後述するビームの端部に配備された連結部材の傾斜形状に対応させて類似する形態で構成するものであることから、必ずしも平面部５の両側に構成することを必須にするものではなく状況によっては平面部５の片面のみに配置することも可能であって窪み７の構造的には任意に構成できるものである。
正面図に示すように支柱の窪み７には、平面部５と傾斜部６とに亘る境界位置にビームの連結部材に形成されている係合突起を挿入できるように複数の結合孔８を垂直方向に配列状態に形成している。
結合孔８の形状については後述する図５において詳述するが、支柱１の窪み７に形成される結合孔８は、ビームの連結部材に形成された係合突起を円滑に挿入させられる上孔部９と係合突起を強固に保持できる下孔部１０とを連結状態に構成することによって支柱１の垂直方向に所定のピッチで複数個に及んで配列された形態に形成されている。
以上のように、支柱１に形成されている窪み７は、そこに形成されている連結部材の傾斜形状に対応させながら類似させた形態の傾斜部６とビームの連結部材に複数個に及んで配列されている係合突起を挿入できる垂直方向に配列されてこれを強固に保持できる複数の結合孔８とを備えることによって、支柱１と支柱間に連結される図示されていない水平方向のビームとの結合状態にあって両者を確実かつ堅固に保持することを達成している。
【００１１】
支柱における他の実施形態は、図２において示すものであって正面図と平面図（ａ）及び側面図（ｂ）から構成されている。
支柱１１は、ラックの角部を形成するために採用される支柱であって、図（ａ）における平面図の上面と右側面とに構成されているビームとの接合面１２、１３とこれらの接合面１２、１３と直角方向に位置するビームとの結合面１４、１５とから形成されており、支柱１１における一方の表面角部１６は美麗に湾曲されて他方の裏面角部１７は支柱材の各端面が対峙される形態で構成されている。
結合面１４には、図（ｂ）に示されているようにビームとの接合面１２に対応させて、上述した図１の基本的な実施の形態におけるビームとの結合面３にあって中央部に形成した所定幅の平面部５の片側のみに配置した傾斜部６と同様に構成し、反対側には傾斜部６を設けずに垂直面１８を形成して成る窪み１９を支柱１１の垂直方向に連続的に形成している。結合面１４の窪み１９を構成する傾斜部６は、当然に図示されていないビームの端部に配備された連結部材の傾斜形状に対応させて構成するものであり、窪み１９には、図１の基本的な実施の形態と同様に平面部５と傾斜部６とに亘る境界位置にビームの連結部材に形成されている係合突起を挿入できる複数の結合孔８を垂直方向に一列だけ構成している。
図示されていないが、結合面１５にも同様にビームとの接合面１３に対応する窪み１９が形成されているものであって、結果として本実施の形態における支柱１１は上述したような正面図（ａ）の平面図を構成するのである。
【００１２】
本発明によるラックにおける支柱とビームの結合方式を構成している一方のビームは、その基本的な実施の形態を図３に示すものであって平面図（ａ）と側面図（ｂ）から構成されている。
ビーム２０は、ビーム本体２１の長短は状況によって異なるがビーム本体２１の両端２２、２２には連結部材２３が配備されている。
連結部材２３は、平面図で示すように一方端を開放状態に形成した湾曲状に構成されており、矩形状に構成される端面版２４はビーム本体２１の端部２２に配備されてビーム本体２１等の荷重を支えて両端に結合している支柱にその荷重を確実に伝達できるように強固に結合されている。ビーム本体２１の端部２２と連結部材２３の端面版２４との結合方式は、両者の直接的な溶接もしくは螺子やボルト等による他の結合部材を介在させた各種の方式が採用可能であるがその選択は他の状況を勘案しながら随意に選択可能である。
端面版２４の反対側に展開している結合部２５は、端面版２４の一端２６側から湾曲されて構成されており、端面版２４から全体的に折り曲げながら傾斜させられて傾斜部対応部位２７を所定の傾斜角を維持させた形状に構成している。傾斜している傾斜部対応部位２７の端部からは所定の間隔で複数に分断された状態に区分された係合突起２８が、端面版２４と平行な状態まで更に湾曲させられることで連結部材２３の全体像を形成している。係合突起２８は、上述した支柱の窪み７、１９に個別に形成した複数の結合孔８に容易に挿入されると共に容易には離脱することなく堅固に保持されるものである。
【００１３】
本発明によるラックにおける支柱とビームの結合方式は、上述した構成から成る支柱とこの支柱に対応して構成されるラックとを用いて、一対の支柱間に複数のビームを垂直方向に設置する際にビームの端部に配備された連結部材の係合突起を支柱の結合面に形成された結合孔に上孔部から挿入させた後に窪みの傾斜部に連結部材の傾斜部対応部位を順応させながら下孔部に定着させることによってラックにおける支柱とビームの結合状態を強固にしているので、以下にその説明をする。
図４は、本発明によるラックにおける支柱とビームの基本的な結合状態を示すものであって、支柱の両側にビームを配置した正面図と正面図を（ａ−ａ）矢視した断面図で表示している。
図示のように支柱１の両側にはビーム２０が配置されており、各ビーム２０の端部には連結部材２３が配備されている。支柱１は、図１で表示したように左右に構成されているビームとの接合面２、２とこれらの接合面２、２と直角方向に位置するビームとの結合面３とから形成されており、結合面３には中央部に所定幅の平面部５を形成されると共にその両側には傾斜部６を対照的に配置した窪み７が支柱１の垂直方向に形成されている。
そして、窪み７には、平面部５と傾斜部６とに亘る境界位置にビームの連結部材２３に形成されている係合突起２８を挿入できるように複数の結合孔８が所定の間隔で垂直方向に配列されているので、その端面版２４を溶接によってビーム２０の端部に配備されている連結部材２３を支柱１に形成されている窪み７の傾斜部６に傾斜部対応部位２８を沿わせながら端面版２４の反対側に展開している結合部２５の係合突起２８を結合孔８に挿入させることによってビーム２０は支柱１に強固に結合されて容易には離脱することなく堅固に保持されている。
【００１４】
本発明による他のラックにおける支柱とビームの結合方式は、上記の基本的なラックにおける支柱とビームの結合方式において、支柱に設ける連結部材の係合突起との結合孔が、窪みの平面部と傾斜部との結合部位に容易に挿入可能な幅と高さで平面部と傾斜部とに亘って形成される上孔部と連結部材の係合突起を定着させた後に拘束できる幅と高さで平面部側のみに形成される下孔部とで構成されている。
【実施例２】
【００１５】
本発明による他のラックにおける支柱とビームの結合方式は、上記の基本的な構成に加えて支柱の結合孔を改良しているので、その実施の形態を支柱の部分正面図（ａ）、部分正面図（ａ）を（ａ−ａ）矢視した断面図（ｂ）、（ｂ−ｂ）矢視した断面図（ｃ）及び（ｃ−ｃ）矢視した断面図（ｄ）から構成している図５に基づいて説明する。
支柱１の結合孔８は、図示のように窪み７の中央部に形成された所定幅の平面部５とその両側に対照的に配置されている傾斜部６、６との結合部位２９に形成されている。
結合孔８は、図示されていないビームの端部に配置されている連結部材の係合突起が挿入できるようにその形状を形成するものであって、係合突起が結合孔に対して垂直方向に容易に挿入できるだけの余裕がある幅３０と高さ３１とを以って形成される上孔部９と係合突起を結合孔に定着させて連結部材を配備したビームが支柱に対して最終的に設定された際にも連結部材を強固な安定状態に確保できるように係合突起を厳密に定着させられる幅３２と高さ３３で形成されている下孔部１０とを連続的に繋げることで一体的に構成されている。
又、結合孔８の上孔部９は、部分正面図（ａ）を（ｂ−ｂ）矢視した断面図（ｃ）に示しているように、その形成位置を窪み７の底部にあって平面部５と傾斜部６とに亘っている結合部位２９に形成することで係合突起を結合孔８に対して挿入し易くしている。これに対して、結合孔８の下孔部１０は、部分正面図（ａ）を（ｃ−ｃ）矢視した断面図（ｄ）が示しているように、その形成位置を窪み７の平面部５のみにすることで下孔部１０の位置が平面部５に対して直角に貫通させられて結合孔８と係合突起とを可能な限り緊密に納めるように配慮している。
【００１６】
上記した実施形態と異なるその他の実施形態は、ラックの角部を形成するために採用される支柱において同様の改良をしているので、その実施の形態を支柱の部分正面図（ａ）、部分正面図（ａ）を（ａ−ａ）矢視した断面図（ｂ）、（ｂ−ｂ）矢視した断面図（ｃ）及び（ｃ−ｃ）矢視した断面図（ｄ）から構成している図６に基づいて説明する。
支柱１１は、ラックの角部を形成するために採用される支柱であって、部分正面図（ａ）を（ｂ−ｂ）矢視した断面図（ｃ）及び（ｃ−ｃ）矢視した断面図（ｄ）における平面図の上面と右側面とに構成されているビームとの接合面１２、１３とこれらの接合面１２、１３と直角方向に位置するビームとの結合面１４、１５とが示すように支柱１１における一方の表面角部１６を美麗に湾曲して他方の裏面角部１７は支柱材の各端面が対峙される形態で構成している。結合面１４、１５には、図（ｃ）（ｄ）に示されているように中央部に形成した平面部５の片側のみに配置した傾斜部６が形成されると共に反対側には垂直面１８を形成して成る窪み１９を支柱１１の垂直方向に連続的に形成している。
支柱１１の結合孔８は、図示のように窪み１９の中央部に形成された平面部５とその片側に配置されている傾斜部６との結合部位２９に形成されている。
結合孔８は、図示されていないビームの端部に配置されている連結部材の係合突起が挿入できるようにその形状を形成するものであって、係合突起が結合孔に対して垂直方向に容易に挿入できるだけの余裕がある幅３０と高さ３１とを以って形成される上孔部９と係合突起を結合孔に定着させて連結部材を配備したビームが支柱に対して最終的に設定された際にも連結部材を強固な安定状態に確保できるように係合突起を厳密に定着させられる幅３２と高さ３３で形成されている下孔部１０とを連続的に繋げることで一体的に構成されている。
又、結合孔８の上孔部９は、断面図（ｃ）に示しているように、その形成位置を窪み１９の底部にあって平面部５と傾斜部６とに亘っている結合部位２９に形成することで係合突起を結合孔８に対して挿入し易くしている。これに対して、結合孔８の下孔部１０は、断面図（ｄ）が示しているように、その形成位置を窪み１９の平面部５のみにすることで下孔部１０の位置が平面部５に対して直角に貫通させられて結合孔８と係合突起とを可能な限り緊密に納めるように配慮している。
【００１７】
本発明による上述した各ラックにおける支柱とビームの結合方式に用いるビームは、ビームの端部に配備された連結部材の係合突起を支柱に形成した窪みの平面部との直交方向に屈曲させてから結合孔の下孔部における支柱の板厚だけ伸長させた後に垂直方向に屈曲させることで構成されているので、その実施形態を図７に示して平面図（ａ）と平面図（ａ）の右側面図（ｂ）及び平面図（ａ）の底面図（ｃ）に基づいてその特徴的な部分について詳細に説明する。
本発明におけるビーム２０は、ビーム本体２１の両端２２に連結部材２３を配備しており、ビーム本体２１の端部２２と連結部材２３の端面版２４との結合方式は、一般的な直接溶接や螺子、ボルト等による他の結合方式よって随意に選択可能である。
特徴的な連結部材２３は、一方端を開放状態に形成した湾曲状に構成されており、矩形状に構成される端面版２４はビーム本体２１の端部２２に配備されてビーム本体２１等の荷重を支えながらビーム２０を結合している一対の支柱と一体に成って堅固なラックを構成すると共にビーム本体２１からの荷重を支柱に対して確実に伝達している。
連結部材２３を構成している端面版２４の反対側に展開している結合部２５は、端面版２４の一端２６側から湾曲された状態に構成されている。端面版２４の一端２６から全体的に折り曲げられて支柱の窪みを形成している傾斜部に対応させた形状に傾斜させることで所定の傾斜角で湾曲された傾斜部対応部位２７を構成している。傾斜している傾斜部対応部位２７の端部からは、所定の間隔で複数に分断された状態に区分された複数の係合突起２８が、所定の間隔で端面版２４と平行な状態にまで更に湾曲させられると共に支柱に形成された結合孔の下孔部における支柱の板厚だけ伸長させた後に垂直方向に屈曲させることで連結部材２３は形成されている。
連結部材２３に形成された係合突起２８は、支柱の窪みにこれと対応させて個別に形成した複数の結合孔に容易に挿入されることによって連結部材２３の傾斜部対応部位２７を支柱に形成されている窪みの傾斜部と密接に係合させると共に複数の係合突起２８を窪みの結合孔と可能な限り緊密に納めることで、支柱とビームとは連結部材２３を支柱から容易には離脱させることなく堅固に保持されるものである。
【実施例３】
【００１８】
本発明による他のラックにおける支柱とビームの結合方式は、上記の基本的な構成に加えて支柱とビームとを用いて支柱間に複数のビームを垂直方向に設置するに際して隣接する一対の支柱間同士を直行する交叉状に配置することでラックの端部として構成しているので、その実施の形態をラックの構成図８及びラックの端部を構成している支柱の断面図９に基づいて説明する。
図８は、本発明のラックにおける支柱とビームの結合方式を採用しているラック３４の斜視図である。本ラック３４は、その４隅の端部を上記実施の態様で説明した支柱１１で構成すると共にその前後面を形成している支柱１１の中間点には両側にビームを配備できる上記実施の態様で説明した支柱１を配置することで立体的な矩形状に形成されており、前後に配置した一対の支柱１１間には上下３段のビーム３５を配備すると共に前後面を形成している支柱１１と中間点に配置の支柱１との間には同じく３段を構成する複数のビーム３６を配備して、前後面のビーム３６、３６間には必要とする多数のサブビーム３７を渡すことによってラックとしての構造体を形成している。
本実施の態様では、支柱とビームとの結合方式を上述したような連結部材２３を用いているところから、支柱とビーム間の結合力が連結部材２３によって支柱１、１１からビーム３５、３６を容易には離脱させることなく堅固に保持されるので、従来のラックのように前後面を形成している各支柱１、１１の間を連結するラチスを不要にしている。そして、このラチスについては、所定のラックに要求される強度に対応させて前後面を形成している各支柱１、１１の間に適宜に配置することも可能である。
図９は、支柱１１の断面図であってラック３４の４隅の端部を構成する実施の形態を示している。図において支柱１１の上面と右側面とにはビーム３５、３６との接合面１２、１３が構成されており、各接合面の直角方向にはビームとの結合面１４、１５を位置させて支柱１１の表面角部１６は美麗に湾曲していると共に支柱１１の裏面角部１７は支柱材の各端面が対峙される形態で構成している。
結合面１４、１５には中央部に形成した平面部５の片側のみに傾斜部６が配置され、反対側は垂直面１８を形成した窪み１９を形成しており、ビーム３５、３６の端部に装備された連結部材２３が傾斜している傾斜部対応部位２７の端部から複数に分断された複数の係合突起２８を伸長させて支柱に形成された結合孔の下孔部に定着されている。
従って、支柱１１とビーム３５、３６の端部に装備された連結部材２３とは、連結部材２３の傾斜部対応部位２７を支柱に形成されている窪みの傾斜部と密接に係合させると共に複数の係合突起２８を支柱１１の窪みに形成された結合孔と緊密に納められることで、支柱１１とビーム３５、３６とは容易には離脱させることなく堅固に保持されるものである。
【産業上の利用可能性】
【００１９】
本発明は、各種のラックを構成する際に支柱とビームの結合形態を小型で簡素な形態に改良することで各種のラックを簡便な操作によって堅固な機構を構成すると共に総合的な経費の低減も図れるラックにおける支柱とビームの結合方式に関する。
【図面の簡単な説明】
【００２０】
【図１】本発明における支柱の基本的な実施の形態図
【図２】支柱における他の実施形態図
【図３】本発明におけるビームの基本的な実施の形態図
【図４】本発明における支柱とビームの基本的な結合の実施の形態図
【図５】本発明における支柱の実施の形態図
【図６】本発明における支柱の他の実施の形態図
【図７】本発明におけるビームの実施の形態図
【図８】本発明によるラックの実施の形態図
【図９】本発明におけるラックを構成する支柱の実施の形態図
【図１０】従来のラックを示す形態図
【図１１】従来のラックにおけるビームの連結用部材図
【符号の説明】
【００２１】
１…支柱、２…ビームとの接合面、３…ビームとの結合面、４…結合面の裏面部分、５…平面部、６…傾斜部、７…窪み、８…結合孔、９…上孔部、１０…下孔部、１１…支柱、１２、１３…ビームとの接合面、１４、１５…ビームとの結合面、１６…表面角部、１７…裏面角部、１８…垂直面、１９…窪み、２０…ビーム、２１…ビーム本体、２２…ビーム本体の両端、２３…連結部材、２４…端面版、２５…結合部、２６…端面版の一端、２７…傾斜部対応部位、２８…係合突起、２９…結合部位、３０、３２…幅、３１、３３…高さ、３４…ラック、３５…ビーム、３６…前後面のビーム、３７…サブビーム、４０…ラック、４１…支柱、４２…ラチス、４３…ビーム、４４…サブビーム、４５…連結用部材、４６…係止用突起、４７…差込孔
【図１】
0004524385.tif 000002
【図２】
0004524385.tif 000003
【図３】
0004524385.tif 000004
【図４】
0004524385.tif 000005
【図５】
0004524385.tif 000006
【図６】
0004524385.tif 000007
【図７】
0004524385.tif 000008
【図８】
0004524385.tif 000009
【図９】
0004524385.tif 000010
【図１０】
0004524385.tif 000011
【図１１】
0004524385.tif 000012